(57)【特許請求の範囲】
【請求項１】
円筒状の重量調整部材と、
前記重量調整部材の外周面及び底面と上面の一部とを覆い、樹脂からなるカラーとを備え、
前記重量調整部材の外周面には溝、凹部及び凸部のうち少なくとも１つが形成されており、
前記カラーは有底円筒形状であり、
前記重量調整部材の底面及び上面の少なくとも一方にも溝、凹部及び凸部のうち少なくとも１つが形成されているウエイトローラー。
【請求項２】
円筒状の重量調整部材と、
前記重量調整部材の外周面及び底面と上面の一部とを覆い、樹脂からなるカラーとを備え、
前記重量調整部材の外周面には溝、凹部及び凸部のうち少なくとも１つが形成されており、
前記カラーは有底円筒形状であり、底部に凹状のゲート落とし込み部が設けられていることを特徴とするウエイトローラー。
【請求項３】
請求項１又は２に記載のウエイトローラーにおいて、
前記重量調整部材は金属及び樹脂で構成されていることを特徴とするウエイトローラー。
【請求項４】
請求項１〜３のうちいずれか１つに記載のウエイトローラーにおいて、
前記カラーを構成する樹脂と前記重量調整部材に含まれる樹脂とは同一であることを特徴とするウエイトローラー。
【請求項５】
請求項１〜４のうちいずれか１つに記載のウエイトローラーにおいて、
前記重量調整部材の底面には、凹状のゲート部が設けられ、前記カラーの内周面には前記ゲート部に係合する凸部が形成されていることを特徴とするウエイトローラー。
【請求項６】
請求項１〜５のうちいずれか１つに記載のウエイトローラーにおいて、
前記カラーの内周面には、前記重量調整部材の外周面に形成された溝、凹部及び凸部の少なくとも１つに係合する凸部又は凹部が形成されていることを特徴とするウエイトローラー。
【請求項７】
金型のキャビティ内に金属粉末又は低融点金属材と樹脂とを注入する射出成形により、円筒状の重量調整部材を成形する工程と、
前記重量調整部材を配置した金型のキャビティ内に樹脂を注入する射出成形により、前記重量調整部材の外周面及び底面と上面の一部とを覆い、樹脂からなる有底円筒形状のカラーを形成する工程とを備え、
前記重量調整部材の外周面には溝、凹部及び凸部のうち少なくとも１つが形成されているウエイトローラーの製造方法。
【請求項８】
請求項７に記載のウエイトローラーの製造方法において、
前記カラーの底部には凹状のゲート落とし込み部が設けられていることを特徴とするウエイトローラーの製造方法。  
【請求項９】
請求項７又は８に記載のウエイトローラーの製造方法において、
前記重量調整部材は金属及び樹脂で構成されており、
前記カラーを構成する樹脂と前記重量調整部材に含まれる樹脂とは同一であることを特徴とするウエイトローラーの製造方法。
【請求項１０】
請求項７〜９のうちいずれか１つに記載のウエイトローラーの製造方法において、
重量調整部材を成形する工程では、ピンゲートを介して成形材料を注入することを特徴とするウエイトローラーの製造方法。
【発明の詳細な説明】
【技術分野】
【０００１】
本明細書に開示された技術は、ウエイトローラー及びその製造方法に関する。
【背景技術】
【０００２】
自動二輪車等には、エンジンの回転数の変化に応じて変速が自動的に行われる無段変速装置が用いられている。この無段変速装置は、回転軸に固定された固定プレートと回転軸方向に移動可能な可動プレートとで構成されたプーリと、このプーリに巻き掛けられた伝動ベルトと、可動プレートの背面側に位置し、回転軸に固定されたガイドプレートと、可動プレートとガイドプレートとの隙間に配置された円筒状のウエイトローラーとを備えている。可動プレートとガイドプレートとの隙間は、プーリの径方向外側に向かうに従って小さくなる。【０００３】
特許文献１には、円筒状の重量調整部材と、芯材の外表面を覆う樹脂層とを備えたウエイトローラーが記載されている。特許文献２には、重量調整部材と、重量調整部材の外表面を覆う樹脂層とを備えたウエイトローラーが記載され、樹脂層を成形することも記載されている。【０００４】
また、特許文献３には、繊維強化樹脂を用いたウエイトローラーが記載されている。特許文献４には、重量調整部材が樹脂層から抜脱しにくいウエイトローラが記載されている。特許文献５には、センタゲート方式にて有底円筒形状に成形される樹脂層を備えたウエイトローラーが記載されている。
【先行技術文献】
【特許文献】
【０００５】
【特許文献１】特開平３−２４３４９号公報
【特許文献２】特開昭６１−１６３８２１号公報
【特許文献３】特開昭６１−１６５０５８号公報
【特許文献４】特開２０００−５５１５４号公報
【特許文献５】特開平５−３３２４１１号公報
【発明の概要】
【発明が解決しようとする課題】
【０００６】
しかしながら、従来のウエイトローラーでは、重量調整部材が樹脂層から抜ける場合がある。また、重量調整部材の切削加工を行う必要があり、ウエイトローラーの製造コストが高くなる場合がある。【０００７】
本発明の目的は、安価に製造でき、重量調整部材の抜けが生じにくいウエイトローラーを提供することにある。
【課題を解決するための手段】
【０００８】
本発明の一実施形態に係るウエイトローラーは、円筒状の重量調整部材と、前記重量調整部材の外周面及び底面と上面の一部とを覆い、樹脂からなるカラーとを備え、前記重量調整部材の外周面には溝、凹部及び凸部のうち少なくとも１つが形成されており、前記カラーは有底円筒形状であり、前記重量調整部材の底面及び上面の少なくとも一方にも溝、凹部及び凸部のうち少なくとも１つが形成されている。
【０００９】
本発明の別の実施形態に係るウエイトローラーの製造方法は、金型のキャビティ内に金属粉末又は低融点金属材と樹脂とを注入する射出成形により、円筒状の重量調整部材を成形する工程と、前記重量調整部材を配置した金型のキャビティ内に樹脂を注入する射出成形により、前記重量調整部材の外周面及び底面と上面の一部とを覆い、樹脂からなる有底円筒形状のカラーを形成する工程とを備え、前記重量調整部材の外周面には溝、凹部及び凸部のうち少なくとも１つが形成されている。
【発明の効果】
【００１０】
本発明の一実施形態に係るウエイトローラー及びその製造方法によれば、比較的安価で重量調整部材の抜けが生じにくいウエイトローラーを実現することが可能となる。
【図面の簡単な説明】
【００１１】
【図１】図１は、本発明の一実施形態に係るウエイトローラーを示す断面図である。
【図２】図２（ａ）、（ｂ）は、図１に示すウエイトローラーを有するプーリを示す断面図である。
【図３】図３（ａ）〜（ｃ）は、図１に示すウエイトローラーの製造方法を示す図である。
【図４】図４（ａ）〜（ｃ）は、図１に示すウエイトローラーの製造方法を示す図である。
【図５】図５（ａ）〜（ｃ）は、図１に示すウエイトローラーの製造方法を示す図である。
【図６】図６（ａ）〜（ｃ）は、図１に示すウエイトローラーの製造方法を示す図である。
【発明を実施するための形態】
【００１２】
（実施形態）
図１は、本発明の一実施形態に係るウエイトローラーを示す断面図である。図２（ａ）、（ｂ）は、図１に示すウエイトローラーを有するプーリを示す断面図である。
【００１３】
図１に示すように、本実施形態に係るウエイトローラー１は、円筒状の重量調整部材５と、重量調整部材５の外周面及び底面を覆い、樹脂からなるカラー３とを備えている。
【００１４】
重量調整部材５の外周面及び底面の少なくとも一方には、カラー３との噛み合わせを向上させ、使用時の異音を低減するための噛み合わせ部１１が形成されている。
【００１５】
ここで、噛み合わせ部１１は、溝、凹部及び凸部のうち少なくとも１つである。図１に示す例では、噛み合わせ部１１として複数の溝が重量調整部材５の外周面、上面及び底面に形成されている。噛み合わせ部１１としては、溝の他に、周方向に不連続な凹部や凸部などであってもよい。カラー３の内周面には、重量調整部材５の噛み合わせ部１１と係合する形状の凸部（突条を含む）及び凹部のうち少なくとも１つが形成されている。
【００１６】
この噛み合わせ部１１がカラー３の内周面と噛み合っていることにより、使用時のがたつきが防止できる。また、噛み合わせ部１１は重量調整部材５の底面又は上面に形成されていてもよく、この場合、ウエイトローラー１が転がる場合に重量調整部材５とカラー３との間のがたつきを効果的に抑制することができる。噛み合わせ部１１が重量調整部材５の外周面に形成される場合と底面に形成される場合とで効果的に抑えることができるがたつきの方向が異なるので、噛み合わせ部（すなわち凹部等）１１が重量調整部材５の外周面と底面の両方に形成されていれば、いずれの方向のがたつきも効果的に抑えることができ、結果としてより強固にがたつきを抑えることが可能となる。さらに、噛み合わせ部１１が重量調整部材５の上面に形成されていれば、がたつきをより効果的に抑えることができる。
【００１７】
重量調整部材５の底面に形成される凸部の高さ又は凹部の深さが０．３ｍｍ以下であれば製造が容易になるので好ましい。この構成によれば、カラー３の成形工程において、樹脂が当該凸部又は凹部を通過する際にその流動挙動が阻害されたり又は変化するのを防ぐことができる。このため、底面に凸部又は凹部を形成しない場合と同様の条件でカラ−３の成形をすることが可能になり、結果としてカラー３の製造が容易になる。
【００１８】
カラー３は例えば上方のみに開口が設けられた有底円筒形状であり、底部に凹状のゲート落とし込み部７が設けられている。ゲート落とし込み部７には、成形時に用いられたピンゲートの跡が形成されている。
【００１９】
なお、重量調整部材５の外周面に凸部（突条含む）が形成され、カラー３の内周面に形成された凹部がこの凸部と係合する場合には、重量調整部材５とカラー３との間のがたつきを防止できる上、さらなる重量増が可能となる。
【００２０】
重量調整部材５は、金属と、バインダとして働く樹脂とで構成されている。重量調整部材５を構成する金属としては、例えばステンレス鋼材（ＳＵＳ）、チタン、タングステン等が挙げられる。重量調整部材５に含まれる樹脂としては、例えばポリアミド（ＰＡ）６、ＰＡ６６、ＰＡ４６、ポリフェニレンスルファイド（ＰＰＳ）等が挙げられる。
【００２１】
一方、カラー３を構成する樹脂としては、例えばＰＡ６、ＰＡ６６、ＰＡ４６、ＰＰＳ等が挙げられる。カラー３を構成する樹脂と重量調整部材５に含まれる樹脂とは互いに異なる樹脂であってもよいが、同じ樹脂であってもよい。両者が同一の樹脂である場合、カラー３の成形時に重量調整部材５中の樹脂と溶融結合するので、カラー３と重量調整部材５との結合力を向上させることができる。
【００２２】
重量調整部材５の底面には、凹状のゲート部９が設けられている。このゲート部９には、凸状のピンゲート跡が形成されている。このゲート部９がカラー３と係合していることにより、がたつきの防止効果がさらに向上している。
【００２３】
本実施形態のウエイトローラー１は、無段変速機のプーリに用いられる。
【００２４】
図２（ａ）、（ｂ）に示すように、無段変速機のプーリ１７は、略円板状の外観を有しており、回転軸に固定されたガイドプレート１５と、回転軸方向に移動可能な可動プレート１３とを備えている。ガイドプレート１５と可動プレート１３との隙間は、プーリ１７の径方向外側に向かうに従って小さくなる。プーリ１７において、複数のウエイトローラー１は、その外周面がガイドプレート１５及び可動プレート１３に接するように配置されている。
【００２５】
プーリ１７を備えた無段変速機において、エンジンの回転数が増加するとウエイトローラー１に作用する遠心力が大きくなり、ウエイトローラー１がプーリ１７の径方向外方に移動する（図２（ｂ）参照）。この移動に伴って可動プレート１３の内側面がウエイトローラー１に押され、可動プレート１３の外側面がガイドプレート１５のプーリフェイスに近づく。その結果、プーリ１７の溝幅が狭くなる。すると、伝動ベルト（図示せず）とプーリ１７との噛み合い半径が大きくなり、無段階に変速が行われる。
【００２６】
本実施形態のウエイトローラー１では、カラー３が重量調整部材５の外周面及び底面を覆っているので、重量調整部材をカラーに嵌め込むタイプのウエイトローラーに比べて重量調整部材５の抜けが発生しにくくなっている。また、重量調整部材をカラーに嵌め込むタイプのウエイトローラーに比べて重量調整部材５のエッジを精密に加工する必要がなくなるので、製造工数を削減して製造コストを下げることが可能となる。
【００２７】
さらに、重量調整部材５とカラ−３とは比重が異なるので、重量調整部材５の外周面又は底面に溝、凹部及び凸部の少なくとも１つを形成し、カラー３に凸部及び凹部の一方を形成することで、ウエイトローラー１全体の形状を変えずにウエイトローラー１の重量を調整することが可能となる。
【００２８】
−製造方法−
図３（ａ）〜（ｃ）、図４（ａ）〜（ｃ）、は、図１に示すウエイトローラーの製造方法において重量調整部材５を成形する工程を示す図である。図５（ａ）〜（ｃ）、図６（ａ）〜（ｃ）は、図１に示すウエイトローラーの製造方法においてカラー３を成形する工程を示す図である。
【００２９】
まず、図３（ａ）〜（ｃ）、図４（ａ）〜（ｃ）に示すように、成形機を用いた射出成形により重量調整部材５を成形する。
【００３０】
具体的には、金属粉末又は低融点金属材料を含む樹脂材料１９を成形機のノズル２６から金型のキャビティ２１内にランナー２３及びピンゲート３５を介して注入する。重量調整部材用の金型には、溝、凹部及び凸部のうち少なくとも１つが形成されている。
【００３１】
金属粉末としては、例えばステンレス鋼材（ＳＵＳ）、チタン、タングステン等を使用することができる。低融点金属材料としては、例えばマグネシウム合金、アルミニウム合金等を使用することができる。低融点金属材料については、粉末に限らずペレット状等であっても用いることができる。
【００３２】
樹脂としては、例えばＰＡ６、ＰＡ６６、ＰＡ４６、ＰＰＳ等を使用することができる。金属粉末又は低融点金属材料の樹脂に対する添加量は、例えば２０〜５０重量％程度である。
【００３３】
樹脂材料１９をキャビティ２１内に充填した後、例えば１００℃で１分間保持することで樹脂材料１９を固化させる。その後、金型を開くことにより、ランナー２３は自動的に切除される（図４（ｃ））。このようにして成形された重量調整部材５の底面には凹状のゲート部が形成されている。
【００３４】
次いで、図５（ａ）〜（ｃ）、図６（ａ）〜（ｃ）に示すように、成形機を用いた射出成形によりカラー３を成形する。
【００３５】
具体的には、重量調整部材５用の樹脂と同じ樹脂３３を成形機のノズル２６から金型のキャビティ３１内にランナー２３及びピンゲート３７を介して注入する。樹脂３３をキャビティ３１内に充填した後、例えば１００℃で０．３分間保持することで樹脂３３を固化させる。その後、金型を開くことにより、ランナー２３は自動的に切除される（図６（ｃ））。このようにして成形されたカラー３は有底円筒形状であり、底部に凹状のゲート落とし込み部が形成されている。ゲート落とし込み部には、ピンゲート（正確にはゲート跡）３７が形成される。カラー３は重量調整部材５の外周面及び底面を覆い、カラー３の内周面は重量調整部材５の噛み合わせ部１１と密着している。
【００３６】
本実施形態の製造方法によれば、カラー３が重量調整部材５を包み込むように形成されるので、別途作製した重量調整部材をカラーに嵌め込む従来のウエイトローラーに比べて重量調整部材５の脱落を防ぐことができる。
【００３７】
また、本実施形態の製造方法によれば、カラー３を成形により作製しているので、重量調整部材５を切削加工してエッジ精度を上げる必要がなくなる。さらに、重量調整部材５をカラー３に圧入する工程が不要となるので、少ない工数でウエイトローラーを製造することが可能となる。
【００３８】
本実施形態の製造方法では、ピンゲート方式を採用しているので、ゲートカット工程を行わなくても、型開きの際にランナー部分を除去することができる。このため、加工工数を少なくして製造コストを低減することが可能となる。
【００３９】
また、重量調整部材５を射出成形することにより、複雑な形状の噛み合わせ部１１を形成することができるので、動作時のがたつきを効果的に防止することができる。
【００４０】
なお、本実施形態では重量調整部材５を成形した後にカラー３の成形を行う例を示したが、カラー３を成形した後に重量調整部材５を成形することもできる。
【００４１】
本実施形態では、ウエイトローラー１及びその製造方法の一例を説明したが、各部材の形状、構成、配置、構成材料、サイズ、製造条件、手順の前後等は本発明の趣旨を逸脱しない範囲において適宜変更可能である。  
【産業上の利用可能性】
【００４２】
以上説明したように、本発明の一例に係るウエイトローラーは、二輪車等の無段変速機等に適用されうる。
【符号の説明】
【００４３】
１      ウエイトローラー
３      カラー
５      重量調整部材
７      ゲート落とし込み部 
９      ゲート部 
１１      噛み合わせ部 
１３      可動プレート 
１５      ガイドプレート 
１７      プーリ 
１９      樹脂材料 
２１、３１      キャビティ 
２３      ランナー 
２６      ノズル  
３３      樹脂 
３５、３７      ピンゲート 
【要約】
ウエイトローラー１は、円筒状の重量調整部材５と、重量調整部材５の外周面及び底面を覆い、樹脂からなるカラー３とを備え、重量調整部材５の外周面には溝、凹部及び凸部のうち少なくとも１つが形成されている。【図１】
0005877286.tif 000002
【図２】
0005877286.tif 000003
【図３】
0005877286.tif 000004
【図４】
0005877286.tif 000005
【図５】
0005877286.tif 000006
【図６】
0005877286.tif 000007